(57)【要約】【課題】従来よりも簡素な構成で障害対策を行い、従来よりも頑健性の高い光伝送システムを実現する。【解決手段】光クロージャ１２０は、複数の光伝送路によってセンタ１１０と多重接続され、センタ１１０から送信された光信号を中継して、ドロップクロージャ１３０へ出力する。光スイッチ２００は、Ｔ．Ｌｉｎｅ＃０における光信号の伝送が途絶えたことが検出されると、センタ１１０との光信号の伝送に使用する光伝送路を、Ｔ．Ｌｉｎｅ＃１に切り換える。【選択図】図３
2013074319.tif 000002
【特許請求の範囲】
【請求項１】
センタと、上記センタから送信された光信号を伝送する２以上の光伝送路と接続され、上記２以上の光伝送路のいずれかを介して伝送された光信号を中継する光中継装置とを含む光伝送システムであって、
上記光中継装置は、少なくとも第１の光伝送路を介して光信号が正常に伝送されているか否かを検出する検出手段と、上記第１の光伝送路を介して光信号が正常に伝送されていないことを上記検出手段が検出したときに、中継対象とする光伝送路を上記第１の光伝送路から第２の光伝送路に切り換える光スイッチと、を備えている、
ことを特徴とする光伝送システム。
【請求項２】
上記センタから送信され、上記２以上の光伝送路を介して伝送される光信号は、同一の光信号である、
ことを特徴とする請求項１に記載の光伝送システム。
【請求項３】
上記センタから送信され、上記２以上の光伝送路を介して伝送される光信号には、特定の波長を有する監視用信号光が含まれており、
上記検出手段は、上記第１の光伝送路を介して上記監視用信号光が正常に伝送されているか否かを検出する、
ことを特徴とする請求項１または２に記載の光伝送システム。
【請求項４】
上記光スイッチは、中継対象とする光伝送路を上記第１の光伝送路から上記第２の光伝送路に切り換えた後、上記第１の光伝送路を介して光信号が正常に伝送されていることを上記検出手段が検出すると、中継対象とする光伝送路を上記第２の光伝送路から上記第１の光伝送路に切り換える、
ことを特徴とする請求項１から３のいずれか１項に記載の光伝送システム。
【請求項５】
上記検出手段は、上記第１の光伝送路を介して光信号が正常に伝送されているか否かに加えて、上記第２の光伝送路を介して光信号が正常に伝送されているか否かを検出するものであり、
上記光スイッチは、中継対象とする光伝送路を上記第１の光伝送路から上記第２の光伝送路に切り換えた後、上記第２の光伝送路を介して光信号が正常に伝送されていないことを検出すると、中継対象とする光伝送路を上記第２の光伝送路から上記第１の光伝送路に切り換える、
ことを特徴とする請求項１から３のいずれか１項に記載の光伝送システム。
【請求項６】
上記光中継装置は、光電変換手段をさらに備えており、該光電変換手段により生成された電力により動作する、
ことを特徴とする請求項１から５のいずれか１項に記載の光伝送システム。
【請求項７】
上記光電変換手段は、上記２以上の光伝送路のいずれかを介して伝送された信号光から電力を生成するものである、
ことを特徴とする請求項６に記載の光伝送システム。
【請求項８】
上記光電変換手段は、太陽光から電力を生成するものである、
ことを特徴とする請求項６に記載に光伝送システム。
【請求項９】
センタから送信された光信号を伝送する２以上の光伝送路と接続され、上記２以上の光伝送路のいずれかを介して伝送された光信号を中継する光中継装置であって、
第１の光伝送路を介して光信号が正常に伝送されているか否かを検出する検出手段と、
上記第１の光伝送路を介して光信号が正常に伝送されていないことを上記検出手段が検出したときに、中継対象とする光伝送路を上記第１の光伝送路から第２の光伝送路に切り換える光スイッチと、を備えている、
ことを特徴とする光中継装置。
【発明の詳細な説明】
【技術分野】
【０００１】
本発明は、アクセスネットワークとして利用される光伝送システムに関する。また、そのような光伝送システムに含まれる光中継装置に関する。
【背景技術】
【０００２】
センタと各家庭とを接続するアクセスネットワークとして、近年、ＦＴＴＨ（Fiber To The Home）が普及している。ＦＴＴＨは、センタから各家庭までの伝送路を全光化したアクセスネットワークであり、高速かつ広帯域な放送／通信環境を提供することができる。ＦＴＴＨにおいて、センタから引き出された幹線光ファイバは、通常、クロージャに格納された光スプリッタにより分岐され、各家庭に引き込まれる。このように、光スプリッタを用いて実現されたPoint to Multi-Point型のＦＴＴＨは、光スプリッタが受動素子であることに因んで、ＰＯＮ（Passive Optical Network）と呼ばれる。
【０００３】
ＰＯＮは、伝送路が光ファイバと光スプリッタとのみによって構成されるため、故障による障害が発生し難い頑健なシステムである。しかしながら、センタと光スプリッタとを繋ぐ幹線光ファイバに断線等の故障が発生した場合、その光スプリッタに接続された全家庭に影響が及び、幹線光ファイバの再敷設などの復旧作業にも多大な時間を要する。したがって、ＣＡＴＶ（Cable Television, Common Antenna Television, Community Antenna Television）のように、長期間に亘る放送／通信の中断が許容されないシステムへの適用に際しては、幹線光ファイバを冗長化するなどの障害対策が必要になる。
【０００４】
例えば、特許文献１には、センタから光パッシブコンポーネント（上述した光スプリッタに相当）に下り光信号を伝送する伝送ルート（上述した幹線光ファイバに相当）を冗長化した光伝送システムが開示されている。この光伝送システムは、下り光信号のモニタレベルが低下すると、下り光信号の伝送ルートを運用系から非運用系に自動的に切り換えるように構成されている。
【先行技術文献】
【特許文献】
【０００５】
【特許文献１】特開２０１０−８１４９２号公報
【発明の概要】
【発明が解決しようとする課題】
【０００６】
しかしながら、特許文献１に記載の光伝送システムでは、下り光信号の伝送ルートの切り換えをセンタ側の光スイッチで行っており、光パッシブコンポーネントに到達した下り光信号をセンタ側にフィードバックする必要がある。このため、特許文献１に記載の光伝送システムでは、光パッシブコンポーネントを２×２光カプラにより構成し、この２×２光カプラの一方のポートから出力された光信号を、運用系および非運用系の伝送ルートを介してセンタ側にフィードバックする構成を採用している。このため、運用系および非運用系の伝送ルートの各々について、下り光信号用を伝送するための光ファイバと上り光信号を伝送するための光ファイバとを設ける必要があり、その敷設にコストが掛かるという問題があった。
【０００７】
また、上記特許文献１の光伝送システムでは、フィードバックのための構成に障害が発生した場合、光伝送ルートの障害が検出できないか、または、光伝送ルートに障害が発生していないにも関わらず、下り光送信器からの出力系統が他方の光伝送ルートに自動的に切り換えられてしまう。
【０００８】
このように、従来の光伝送システムでは、障害対策のために構成が複雑になったり、複雑になった構成により頑健性が損なわれたりするという問題があった。
【０００９】
本発明は、上記の問題に鑑みてなされたものであり、その目的は、より簡素な構成で障害対策を行い、より頑健性の高い光伝送システムを実現することにある。
【課題を解決するための手段】
【００１０】
上述した課題を解決するため、本発明に係る光伝送システムは、センタと、上記センタから送信された光信号を伝送する２以上の光伝送路と接続され、上記２以上の光伝送路のいずれかを介して伝送された光信号を中継する光中継装置とを含む光伝送システムであって、上記光中継装置は、第１の光伝送路を介して光信号が正常に伝送されているか否かを検出する検出手段と、上記第１の光伝送路を介して光信号が正常に伝送されていないことを上記検出手段が検出したときに、中継対象とする光伝送路を上記第１の光伝送路から第２の光伝送路に切り換える光スイッチと、を備えている、ことを特徴とする。
【００１１】
上記の構成によれば、第１の光伝送路に何らかの障害が生じた場合であっても、直ぐにこれを検出し、光信号の伝送に使用する光伝送路を第２の光伝送路へ切り換えることで、光信号を継続して伝送することができる。
【００１２】
特に、光伝送路の切り換えを行うための構成をセンタ側に設ける必要がないため、光信号を光中継装置からセンタにフィードバックするための構成を要さない。したがって、従来よりも簡素な構成で、従来よりも頑健な光伝送システムを実現することができる。
【００１３】
上記光伝送システムにおいて、上記センタから送信され、上記２以上の光伝送路を介して伝送される光信号は、同一の光信号である、ことが好ましい。
【００１４】
この構成によれば、センタ側で光送信器に接続する光伝送路を切り換えるといった操作を行うことなく、光伝送路の切り換えを実現することができる。
【００１５】
上記光伝送システムにおいて、上記センタから送信され、上記２以上の光伝送路を介して伝送される光信号には、特定の波長を有する監視用信号光が含まれており、上記検出手段は、上記第１の光伝送路を介して上記監視用信号光が正常に伝送されているか否かを検出する、ことが好ましい。
【００１６】
この構成によれば、データ伝送用の光信号が不連続な光信号である場合であっても、例えば、監視用光信号が途絶えたことを検出することによって、光伝送路において何らかの障害が発生したことを検出することができる。
【００１７】
上記光伝送システムにおいて、上記光スイッチは、中継対象とする光伝送路を上記第１の光伝送路から上記第２の光伝送路に切り換えた後、上記第１の光伝送路を介して光信号が正常に伝送されていることを上記検出手段が検出すると、中継対象とする光伝送路を上記第２の光伝送路から上記第１の光伝送路に切り換える、ことが好ましい。
【００１８】
この構成によれば、第２の光伝送路を介して伝送された光信号が中継されるのは、第１の光伝送路において光信号が正常に伝送されていないときに限られる。したがって、第２の光伝送路があくまでも予備用の光伝送路である場合や、第１の光伝送路よりも機能や性能に劣る場合等に有効である。
【００１９】
上記光伝送システムにおいて、上記検出手段は、上記第１の光伝送路を介して光信号が正常に伝送されているか否かに加えて、上記第２の光伝送路を介して光信号が正常に伝送されているか否かを検出するものであり、上記光スイッチは、中継対象とする光伝送路を上記第１の光伝送路から上記第２の光伝送路に切り換えた後、上記第２の光伝送路を介して光信号が正常に伝送されていないことを検出すると、中継対象とする光伝送路を上記第２の光伝送路から上記第１の伝送路に切り換える、ことが好ましい。
【００２０】
この構成によれば、中継対象とする光伝送路の切り換えが起こるのは、第１の光伝送路において光信号が正常に伝送されなくなったときと、第２の光伝送路において光信号が正常に伝送されなくなったときとに限られる。したがって、中継対象とする光伝送路の切り替え回数を抑えたい場合に有効である。
【００２１】
上記光伝送システムにおいて、上記光中継装置は、光電変換手段をさらに備えており、該光電変換手段により生成された電力により動作する、ことが好ましい
この構成によれば、光中継装置に外部から電力を供給する必要がないため、光伝送システムの構成を簡素化することができる。なお、上記光電変換手段は、太陽光から電力を生成するものであってもよいし、信号光等、光ファイバから伝送される光から電力を生成するものであってもよい。
【００２２】
なお、本発明に掛かる光伝送システムに含まれる光中継装置も本発明の範疇に含まれる。
【発明の効果】
【００２３】
本発明によれば、従来よりも簡素な構成で障害対策を行うことができるので、従来よりも頑健性の高い光伝送システムを実現することができる。
【図面の簡単な説明】
【００２４】
【図１】実施形態１に係る光伝送システムの全体構成を示す図である。
【図２】実施形態１に係るセンタの構成を示す図である。
【図３】実施形態１に係る光クロージャの構成を示す図である。
【図４】制御回路による光スイッチの切り換え処理の手順の一例を示すフローチャートである。
【図５】制御回路による光スイッチの切り換え処理の手順の他の一例を示すフローチャートである。
【図６】実施形態２に係る光クロージャの構成を示す図である。
【図７】実施形態３に係る光クロージャの構成を示す図である。
【図８】実施形態４に係る光クロージャの構成を示す図である。
【図９】実施形態５に係る光クロージャの構成を示す図である。
【図１０】実施形態６に係る光クロージャの構成を示す図である。
【図１１】実施形態３に係る光クロージャの変形例を示す図である。
【図１２】実施形態６に係る光クロージャの変形例を示す図である。
【発明を実施するための形態】
【００２５】
〔実施形態１〕
本発明の第１の実施形態（以下、「実施形態１」とも記載）について、図１および図２を参照して説明する。
【００２６】
（光伝送システムの概要）
まず、実施形態１に係る光伝送システム１０の概要について説明する。図１は、実施形態１に係る光伝送システム１０の全体構成を示す図である。図１に示すように、光伝送システム１０は、センタ１１０、光クロージャ１２０（光中継装置）、および複数の光ドロップクロージャ１３０を備える。
【００２７】
この光伝送システム１０は、ＰＯＮ型のＦＴＴＨとして、インターネット回線やＣＡＴＶシステム等の通信システムに組み込まれ、このような通信システムにおいて、各種伝送データ（インターネットデータ、ＣＡＴＶデータ、通話データ等）の伝送機能を担うものである。
【００２８】
この光伝送システム１０では、各種伝送データの伝送媒体として光信号が用いられ、その伝送路（光伝送路）として、光ファイバが用いられている。特に、光伝送路として、一心の光ファイバが用いられている。
【００２９】
特に、この光伝送システム１０は、センタ１１０（ＯＬＴ）と契約者宅内に設けられている光回線終端装置（ＯＮＵ）との間の光伝送路を、光クロージャ１２０（光スプリッタ）で分岐することにより、センタ１１０と光回線終端装置とを１対多で接続するＰＤＳ（Passive Double Star）方式を採用している。
【００３０】
もちろん、この光伝送システム１０では、双方向通信を行うことも可能である。例えば、光伝送システム１０では、センタ１１０から契約者宅に設けられた光回線終端装置へ、光信号（以下、「下り光信号」と示す）を伝送することが可能である。反対に、光回線終端装置からセンタ１１０へ、光信号（以下、「上り光信号」と示す）を伝送することが可能である。特に、光伝送システム１０では、下り光信号と上り光信号とで波長を異ならせることにより同時に伝送することが可能となっている。例えば、下り光信号としては、波長が１４８０ｎｍ〜１５８０ｎｍの光信号が用いられ、上り光信号としては、波長が１２６０ｎｍ〜１３６０ｎｍの光信号が用いられる。なお、各図面において、光伝送路、すなわち、光信号が伝送される伝送路については、これを点線矢印で示す。特に、図２以降では、下り光信号の伝送路となる光伝送路を右向きの点線矢印で示すが、上記したとおり、これらの光伝送路は、上り光信号の伝送路ともなり得る。
【００３１】
（センタ）
センタ１１０は、各種伝送データに応じた下り光信号を送信する光送信器として機能する。センタ１１０は、例えば、通信会社の局舎内や、ＣＡＴＶ会社の局舎内に設置される。
【００３２】
センタ１１０は、光伝送路（Ｔ．Ｌｉｎｅ）によって、光クロージャ１２０と接続されている。特に、図１に示す例では、センタ１１０には、複数の光伝送路（Ｔ．Ｌｉｎｅ＃０およびＴ．Ｌｉｎｅ＃１）によって、光クロージャ１２０と多重接続されている。すなわち、センタ１１０と光クロージャ１２０との間の光伝送路は、二重化されている。
【００３３】
これに応じて、センタ１１０は、複数の光伝送路の各々から、下り光信号を光クロージャ１２０へ送信することが可能となっている。
【００３４】
なお、実際には、センタ１１０には、複数の光クロージャ１２０が接続されており、その各々がセンタ１１０と多重接続されているが、ここでは、そのうちの一つのみを例示する。
【００３５】
（光クロージャ）
光クロージャ１２０は、センタ１１０から送信された下り光信号を中継して、光ドロップクロージャ１３０へ出力する光中継装置として機能する。光クロージャ１２０は、例えば、センタ１１０と光ドロップクロージャ１３０との間に配置されている架空ケーブルに設置される。なお、光クロージャは、電柱上又は架空ケーブル等々に設置されるのが通常である。このため、本実施形態では、光クロージャ１２０の設置場所を架空ケーブルとしているが、特にこれに限定されるものではない。
【００３６】
既に説明したとおり、センタ１１０と光クロージャ１２０とは、複数の光伝送路によって多重接続されており、センタ１１０は、複数の光伝送路の各々から、下り光信号を光クロージャ１２０へ送信することができる。すなわち、光クロージャ１２０へは、複数の光伝送路の各々から下り光信号が供給されてくる。
【００３７】
そこで、光クロージャ１２０は、複数の光伝送路のいずれかを、下り光信号の入力経路（すなわち、センタ１１０との光信号の伝送に使用する光伝送路）として使用する。そして、光クロージャ１２０は、上記入力経路とされた光伝送路から送信された下り光信号を、光ドロップクロージャ１３０へ出力する。
【００３８】
光クロージャ１２０は、複数の光伝送路のいずれを上記入力経路とするかを、初期設定や各光伝送路の伝送状態等に基づいて決定する。
【００３９】
図１に示す例では、光クロージャ１２０には、複数の光伝送路（Ｂ．Ｌｉｎｅ＃０〜＃ｉ）によって、複数の光ドロップクロージャ１３０（ドロップクロージャ＃０〜＃ｉ）が接続されている。これに応じて、光クロージャ１２０は、センタ１１０から送信された下り光信号を分岐し、複数の光伝送路を介して、複数の光ドロップクロージャ１３０の各々へ出力することが可能となっている。
【００４０】
（光ドロップクロージャ）
光ドロップクロージャ１３０は、光クロージャ１２０から出力された下り光信号を受信すると、受信した下り光信号をさらに分岐し、複数の光回線終端装置の各々へ出力する。例えば、光ドロップクロージャ１３０から出力された下り光信号は、ドロップケーブルを介して、契約者宅内に設けられている、Ｖ−ＯＮＵ（映像用の光回線終端装置）やＤ−ＯＮＵ（データ用の光回線終端装置）へ送信される。このため、光ドロップクロージャ１３０は、例えば、契約者宅の近傍の架空ケーブルに設置される。
【００４１】
各契約者宅においては、このような光伝送システム１０を介して、インターネット端末からインターネットにアクセスしたり、テレビジョン受像機によりＣＡＴＶ放送の映像データを受信したりすることができる。
【００４２】
（センタの構成）
次に、図２を参照して、センタ１１０の構成について説明する。図２は、実施形態１に係るセンタ１１０の構成を示す図である。
【００４３】
図２に示すように、センタ１１０は、光送信機１１２、光増幅器１１４、光分配器１１６を備えている。これらを含む、センタ１１０に設けられた機器をまとめて、ヘッドエンド設備と呼ぶ場合もある。
【００４４】
光送信機１１２は、伝送データに応じた下り光信号を生成し、生成された下り光信号を出力する。
【００４５】
光増幅器１１４は、光送信機１１２から出力された下り光信号を増幅し、増幅された下り光信号を出力する。
【００４６】
光分配器１１６は、光増幅器１１４から出力された下り光信号を複数の出力先へ分配する。図２に示す例では、光分配器１１６は、光増幅器１１４によって増幅された下り光信号を２分配し、２つの光クロージャ１２０の各々へ出力するように構成されている。
【００４７】
なお、実際には、光増幅器１１４の各々には、下り光信号の送信先となる光クロージャ１２０の数に応じて、複数の光分配器１１６が１対多接続されているが、ここでは、そのうちの一つのみを例示する。
【００４８】
ここで、本実施形態のセンタ１１０では、光クロージャ１２０に対する下り光信号の送信系統が二重化されており、各送信系統に対して、光送信機１１２、光増幅器１１４、光分配器１１６が、それぞれ設けられている。
【００４９】
例えば、図２に示す例では、センタ１１０と光クロージャ１２０とを接続する一方の光伝送路であるＴ．Ｌｉｎｅ＃０に対する下り光信号の送信系統＃０には、光送信機＃０、光増幅器＃０、および光分配器＃０が設けられている。
【００５０】
また、センタ１１０と光クロージャ１２０とを接続する他方の光伝送路であるＴ．Ｌｉｎｅ＃１に対する下り光信号の送信系統＃１には、光送信機＃１、光増幅器＃１、および光分配器＃１が設けられている。
【００５１】
このように、本実施形態のセンタ１１０は、光クロージャ１２０に対する下り光信号の送信系統が二重化されていることにより、一方の送信系統に障害が生じた場合であっても、他方の送信系統から、下り光信号を光クロージャ１２０へ送信することができる。
【００５２】
特に、各送信系統に対して、構成要素一式（光送信機、光増幅器、および光分配器）が独自に設けられているため、一方の送信系統に障害が生じた場合でも、経路を切り換える等の制御を行うことなく、他方の送信系統から、下り光信号を光クロージャ１２０へ送信することができる。したがって、センタ１１０の構成を簡素化することができる。
【００５３】
さらに、本実施形態のセンタ１１０は、上記２つの送信系統から、同一の下り光信号を並行して送信する構成を採用している。これにより、一方の送信系統に障害が生じた場合でも、切り換え等の制御を何ら行うことなく、他方の送信系統から、同一の下り光信号を光クロージャ１２０へ送信することができる。このため、本実施形態のセンタ１１０は、障害発生前に一方の送信系統から送信していた伝送データを、障害発生後に、他方の送信系統から継続して送信することができる。
【００５４】
（光クロージャの構成）
次に、図３を参照して、光クロージャ１２０の構成について説明する。図３は、実施形態１に係る光クロージャ１２０の構成を示す図である。
【００５５】
図３に示すように、本実施形態の光クロージャ１２０は、光スイッチ２００、制御回路２１０、光分配器２２０、太陽光発電パネル２３２、および蓄電池２３４を備えている。
【００５６】
（光スイッチ）
光スイッチ２００は、センタ１１０から送信された下り光信号の入力経路を、切り換えるためのものである。
【００５７】
具体的には、図３に示す例では、光スイッチ２００の入力側（センタ１１０側）のポートには、Ｔ．Ｌｉｎｅ＃０およびＴ．Ｌｉｎｅ＃１が接続されている。光スイッチ２００には、Ｔ．Ｌｉｎｅ＃０およびＴ．Ｌｉｎｅ＃１の各々から、同一の下り光信号が送信されてくる。
【００５８】
光スイッチ２００は、下り光信号の入力経路を、Ｔ．Ｌｉｎｅ＃０またはＴ．Ｌｉｎｅ＃１のいずれかに切り換える。これにより、光スイッチ２００は、入力経路とされたいずれか一方の光伝送路から送信された下り光信号を出力する。
【００５９】
例えば、入力経路がＴ．Ｌｉｎｅ＃０に切り換えられると、光スイッチ２００の出力側（光ドロップクロージャ１３０側）のポートからは、Ｔ．Ｌｉｎｅ＃０から送信されてきた下り光信号が出力される。反対に、入力経路がＴ．Ｌｉｎｅ＃１に切り換えられると、光スイッチ２００の出力側のポートからは、Ｔ．Ｌｉｎｅ＃１から送信されてきた下り光信号が出力される。ここで、光スイッチ２００の代わりに光カップラを採用した場合、Ｔ．Ｌｉｎｅ＃０とＴ．Ｌｉｎｅ＃１の伝送線路の長さが異なるため、各々の光伝送路から同一の光信号が送信されても、光クロージャ１２０において合波されると光信号が歪んでしまうことがある。このような問題を回避するため、本実施形態では光カップラではなく光スイッチ２００を採用している。
【００６０】
（光スイッチの種類）
光スイッチ２００としては、低消費電力化を実現するために、ＭＥＭＳ（Micro Electro Mechanical Systems）を採用しているが、これに限らず、機械式光スイッチや、導波路型光スイッチ等を採用することもできる。
【００６１】
また、光スイッチ２００としては、シングルステイブルリレー（単安定リレー）またはラッチングリレー（双安定リレー）が採用され得る。
【００６２】
シングルステイブルリレーとは、電源が途絶えると、所定の状態に保持されるものである。例えば、入力経路がＴ．Ｌｉｎｅ＃０に切り換えられている状態を所定の状態とした場合、電源が途絶えると、シングルステイブルリレーは、入力経路がＴ．Ｌｉｎｅ＃０に切り換えられている状態を保持する。このとき、入力経路がＴ．Ｌｉｎｅ＃１に切り換えられている状態であれば、入力経路をＴ．Ｌｉｎｅ＃０に切り換え、入力経路がＴ．Ｌｉｎｅ＃０に切り換えられている状態であれば、その状態を維持する。
【００６３】
このシングルステイブルリレーは、例えば、電源が途絶えた場合に、Ｔ．Ｌｉｎｅ＃０を使用することが予め取り決められているような場合に有効である。
【００６４】
一方、ラッチングリレーとは、電源が途絶えると、そのときの状態が保持されるものである。例えば、入力経路がＴ．Ｌｉｎｅ＃０に切り換えられている状態で電源が途絶えると、ラッチングリレーは、そのまま入力経路がＴ．Ｌｉｎｅ＃０に切り換えられている状態を保持し、入力経路がＴ．Ｌｉｎｅ＃１に切り換えられている状態で電源が途絶えると、そのまま入力経路がＴ．Ｌｉｎｅ＃１に切り換えられている状態を保持する。
【００６５】
このシングルステイブルリレーは、例えば、電源が途絶えた場合に、直前の光伝送路をそのまま使用することが予め取り決められているような場合に有効である。
【００６６】
（制御回路）
上記した光スイッチ２００の切り換え動作は、制御回路２１０によって制御される。具体的には、制御回路２１０は、入力経路とされた一の光伝送路からの光信号の伝送が途絶えたこと（以下、「伝送断」と示す。）が検出されると、入力経路を他の光伝送路に切り換えるように、光スイッチ２００を制御する。
【００６７】
例えば、Ｔ．Ｌｉｎｅ＃０が入力経路とされている場合、制御回路２１０は、このＴ．Ｌｉｎｅ＃０からの光信号の伝送断が検出されると、入力経路をＴ．Ｌｉｎｅ＃１に切り換えるように、光スイッチ２００を制御する。
【００６８】
反対に、Ｔ．Ｌｉｎｅ＃１が入力経路とされている場合、制御回路２１０は、このＴ．Ｌｉｎｅ＃１からの光信号の伝送断が検出されると、入力経路をＴ．Ｌｉｎｅ＃０に切り換えるように、光スイッチ２００を制御する。
【００６９】
制御回路２１０は、光信号の伝送断が検出されると、警告を発する機能を有している。例えば、制御回路２１０は、光信号の伝送断が検出されると、光クロージャ１２０に設けられたＬＥＤを点灯させたり、Ｗｉ−Ｆｉ等の通信によって外部の装置へ通知したり、ラッチング型のリレーを用いて接点情報として保持し、管理者が適宜接点情報を取り出すことができるようにしたりする。
【００７０】
（光信号の伝送断を検出するための構成）
光クロージャ１２０は、光信号の伝送断を検出するための構成として、光カップラ２４２，２４４，２４６、および検出回路２５２，２５４，２５６をさらに備えている。
【００７１】
光カップラ２４２（光カップラ＃０）は、Ｔ．Ｌｉｎｅ＃０の経路上に設けられている。光カップラ２４２は、Ｔ．Ｌｉｎｅ＃０から伝送されてきた下り光信号を、検出回路２５２（検出回路＃０）へ分配する。検出回路２５２は、光カップラ２４２からの光信号の供給に基づいて、Ｔ．Ｌｉｎｅ＃０から伝送されてきた下り光信号の伝送断を検出する。例えば、検出回路２５２は、予め定められた時間以上、光カップラ２４２から上記下り光信号が供給されてこなかった場合、これをＴ．Ｌｉｎｅ＃０から伝送されてきた下り光信号の伝送断として検出する。検出回路２５２は、当該伝送断を検出すると、その旨を制御回路２１０へ通知する。
【００７２】
この通知により、例えば、制御回路２１０は、Ｔ．Ｌｉｎｅ＃０において、またはＴ．Ｌｉｎｅ＃０への光信号の送信系統において、何らかの障害が発生したことを検知することができる。
【００７３】
光カップラ２４４（光カップラ＃１）は、Ｔ．Ｌｉｎｅ＃１の経路上に設けられている。光カップラ２４４は、Ｔ．Ｌｉｎｅ＃１から伝送されてきた下り光信号を、検出回路２５４（検出回路＃１）へ分配する。検出回路２５４は、光カップラ２４４からの光信号の供給に基づいて、Ｔ．Ｌｉｎｅ＃１から伝送されてきた下り光信号の伝送断を検出する。例えば、検出回路２５４は、予め定められた時間以上、光カップラ２４４から光信号が供給されてこなかった場合、これをＴ．Ｌｉｎｅ＃１から伝送されてきた下り光信号の伝送断として検出する。検出回路２５４は、当該伝送断を検出すると、その旨を制御回路２１０へ通知する。
【００７４】
この通知により、例えば、制御回路２１０は、Ｔ．Ｌｉｎｅ＃１において、またはＴ．Ｌｉｎｅ＃１への光信号の送信系統において、何らかの障害が発生したことを検知することができる。
【００７５】
光カップラ２４６（光カップラ＃２）は、光スイッチ２００の出力側（光ドロップクロージャ１３０側）の経路上に設けられている。光カップラ２４６は、光スイッチ２００から出力された下り光信号を、検出回路２５６（検出回路＃２）へ分配する。検出回路２５６は、光カップラ２４６からの光信号の供給に基づいて、光スイッチ２００からの下り光信号の伝送断を検出する。例えば、検出回路２５６は、予め定められた時間以上、光カップラ２４６から光信号が供給されてこなかった場合、これを光スイッチ２００からの下り光信号の伝送断として検出する。検出回路２５６は、当該伝送断を検出すると、その旨を制御回路２１０へ通知する。
【００７６】
この通知により、例えば、制御回路２１０は、光スイッチ２００に何らかの障害が発生したことを検知することができる。
【００７７】
例えば、光カップラ２４２，２４４，２４６の各々には、分岐比が１００（光スイッチ／光分配器側）：１（検出回路側）程度のものが用いられる。このように、光カップラ２４２，２４４，２４６の各々について、検出回路側の強度が小さくなるものを用いることによって、光信号の分岐に伴う損失を最小限に抑制することができる。
【００７８】
各光カップラの入出力が反対に接続されることにより、各検出回路は、各上り光信号の供給断を検出することができる。
【００７９】
例えば、光カップラ２４２の入出力を反対に接続することにより、検出回路２５２は、光スイッチ２００からＴ．Ｌｉｎｅ＃０へ出力された上り光信号の供給断を検出し、この上り光信号の供給断を制御回路２１０へ通知することができる。
【００８０】
この通知により、例えば、制御回路２１０は、上り光信号をＴ．Ｌｉｎｅ＃０へ伝送する機能に関し、光スイッチ２００に何らかの障害が発生したことを検知することができる。
【００８１】
また、光カップラ２４４の入出力を反対に接続することにより、検出回路２５４は、光スイッチ２００からＴ．Ｌｉｎｅ＃１へ出力された上り光信号の供給断を検出し、この上り光信号の供給断を制御回路２１０へ通知することができる。
【００８２】
この通知により、例えば、制御回路２１０は、上り光信号をＴ．Ｌｉｎｅ＃１へ伝送する機能に関し、光スイッチ２００に何らかの障害が発生したことを検知することができる。
【００８３】
また、光カップラ２４６の入出力を反対に接続することにより、検出回路２５６は、下り側の光伝送路から光スイッチ２００へ入力される上り光信号の供給断を検出し、この上り光信号の供給断を制御回路２１０へ通知することができる。
【００８４】
この通知により、例えば、制御回路２１０は、下り側の光伝送路において、または、光スイッチ２００よりも下り側の光伝送路への光信号の送信系統において、何らかの障害が発生したことを検知することができる。
【００８５】
（光分配器）
光スイッチ２００の出力側のポートには、光分配器２２０が接続されている。これにより、光スイッチ２００から出力された下り光信号は、光分配器２２０へ出力される。
【００８６】
光分配器２２０の出力側のポートには、複数の光伝送路（Ｂ．Ｌｉｎｅ＃０〜＃ｉ）が接続されている。光分配器２２０は、光スイッチ２００から出力された下り光信号を受信する。そして、光分配器２２０は、受信した下り光信号を分配し、複数の光伝送路（Ｂ．Ｌｉｎｅ＃０〜＃ｉ）の各々へ出力することができる。
【００８７】
（光クロージャの電源）
次に、光クロージャ１２０の電源について説明する。光クロージャ１２０は、電源として、太陽光発電パネル２３２および蓄電池２３４をさらに備えている。
【００８８】
既に説明したとおり、光クロージャ１２０は、架空ケーブル等の比較的高い場所に設置される。すなわち、光クロージャ１２０は、太陽光を受け易い場所に設置される。
【００８９】
これに応じて、太陽光発電パネル２３２は、受光面が光クロージャ１２０の外部へ露出するように、光クロージャ１２０に配置される。
【００９０】
これにより、太陽光発電パネル２３２は、太陽光を受け、この太陽光を利用して光電変換を行うことにより、発電することができる。
【００９１】
光クロージャ１２０（特に制御回路２００）は、太陽光発電パネル２３２によって生成された電力によって動作することができる。
【００９２】
太陽光発電パネル２３２によって生成された電力は、リチウムイオン二次電池等の蓄電池２３４に蓄えておくこともできる。
【００９３】
これにより、光クロージャ１２０は、例えば昼間等、太陽光発電パネル２３２による発電量が十分な場合には、太陽光発電パネル２３２によって生成された電力によって動作するとともに、蓄電池２３４を充電し、夜間等、太陽光発電パネル２３２による発電量が不十分な場合には、蓄電池２３４に蓄えられている電力によって動作することができる。
【００９４】
このように、本実施形態１の光クロージャ１２０は、自律的に発電する太陽光発電パネル２３２を備えており、この太陽光発電パネル２３２によって生成された電力を用いて動作する構成を採用しているので、従来困難であったＡＣ１００Ｖ等の外部電源の光クロージャ１２０へ供給を必要とせず、光スイッチ２００を光クロージャ１２０へ設けることを可能としている。
【００９５】
また、光クロージャ１２０へ電力を供給する必要が無い分、光伝送システム１０への外部電力の供給量を削減することができる。
【００９６】
また、電源供給用の電力線を設置できない場所であっても、光クロージャ１２０を設置することができるため、光クロージャ１２０の設置場所の制限を緩和することもできる。
【００９７】
また、例えば停電が生じた場合であっても、太陽光発電パネル２３２によって生成された電力を用いて、引き続き動作することができるので、光伝送システム１０を安定的に稼動させることができる。
【００９８】
（切り換え処理の手順の一例）
次に、図４を参照して、制御回路２１０による光スイッチ２００の切り換え処理の手順の一例について説明する。図４は、制御回路２１０による光スイッチ２００の切り換え処理の手順の一例を示すフローチャートである。
【００９９】
ここでは、初期設定の光伝送路（Ｔ．Ｌｉｎｅ＃０）からの下り光信号の伝送断が検出されると、入力経路を他の光伝送路（Ｔ．Ｌｉｎｅ＃１）へ切り換え、その後、初期設定の光伝送路からの下り光信号の伝送が復帰すると、入力経路を初期設定の光伝送路へ切り換える例を説明する。
【０１００】
まず、制御回路２１０は、入力経路を、初期設定の光伝送路であるＴ．Ｌｉｎｅ＃０へ切り換える（ステップＳ４０２）。
【０１０１】
その後、制御回路２１０は、Ｔ．Ｌｉｎｅ＃０からの光信号の伝送断が検出されたか否かを判断する（ステップＳ４０４）。
【０１０２】
ステップＳ４０４において、光信号の伝送断が検出されていないと判断した場合（ステップＳ４０４：Ｎｏ）、制御回路２１０は、引き続きステップＳ４０４の判断処理を行う。
【０１０３】
一方、ステップＳ４０４において、光信号の伝送断が検出されたと判断した場合（ステップＳ４０４：Ｙｅｓ）、制御回路２１０は、処理をステップＳ４０６へ進める。
【０１０４】
ステップＳ４０６では、制御回路２１０は、Ｔ．Ｌｉｎｅ＃１からの光信号の伝送断が検出されたか否かを判断する（ステップＳ４０６）。
【０１０５】
ステップＳ４０６において、光信号の伝送断が検出されたと判断した場合（ステップＳ４０６：Ｙｅｓ）、制御回路２１０は、警告を発し（ステップＳ４０８）、処理をステップＳ４０４へ戻す。
【０１０６】
一方、ステップＳ４０６において、光信号の伝送断が検出されていないと判断した場合（ステップＳ４０６：Ｎｏ）、制御回路２１０は、入力経路をＴ．Ｌｉｎｅ＃１へ切り換える（ステップＳ４１０）。
【０１０７】
その後、制御回路２１０は、Ｔ．Ｌｉｎｅ＃０からの光信号の伝送断が検出されたか否かを判断する（ステップＳ４１２）。
【０１０８】
ステップＳ４１２において、光信号の伝送断が検出されていないと判断した場合（ステップＳ４１２：Ｎｏ）、制御回路２１０は、入力経路をＴ．Ｌｉｎｅ＃０へ切り換え（ステップＳ４１４）、処理をステップＳ４０４へ戻す。
【０１０９】
一方、ステップＳ４１２において、光信号の伝送断が検出されたと判断した場合（ステップＳ４１２：Ｙｅｓ）、制御回路２１０は、処理をステップＳ４１６へ進める。
【０１１０】
ステップＳ４１６では、制御回路２１０は、Ｔ．Ｌｉｎｅ＃１からの光信号の伝送断が検出されたか否かを判断する（ステップＳ４１６）。
【０１１１】
ステップＳ４１６において、光信号の伝送断が検出されていないと判断した場合（ステップＳ４１６：Ｎｏ）、制御回路２１０は、処理をステップＳ４１２へ戻す。
【０１１２】
一方、ステップＳ４１６において、光信号の伝送断が検出されたと判断した場合（ステップＳ４１６：Ｙｅｓ）、制御回路２１０は、警告を発し（ステップＳ４１８）、処理をステップＳ４１２へ戻す。
【０１１３】
この手順によれば、初期設定の光伝送路に何らかの障害が発生した後であっても、できる限り初期設定の光伝送路を利用することができるので、例えば、他の光伝送路があくまでも予備用の光伝送路である場合や、初期設定の光伝送路よりも機能や性能に劣る場合等に有効である。特に、光伝送路を敷設する場合において、架空か地下埋設か、あるいは、幹線道路、鉄道、大規模施設の有無などにより、現用ルート（初期設定の光伝送路）と迂回ルート（他の光伝送路）とでは伝送線路の長さや途中の敷設条件が異なり、現用ルートの方が伝送線路の品質や管理条件に優れることがある。そのような場合には、できる限り現用ルートを使用することが好ましい。このような場合において本手順は有効である。
【０１１４】
（切り換え処理の手順の他の一例）
次に、図５を参照して、制御回路２１０による光スイッチ２００の切り換え処理の手順の他の一例について説明する。図５は、制御回路２１０による光スイッチ２００の切り換え処理の手順の他の一例を示すフローチャートである。
【０１１５】
ここでは、初期設定の光伝送路（Ｔ．Ｌｉｎｅ＃０）からの下り光信号の伝送断が検出されると、入力経路を他の光伝送路（Ｔ．Ｌｉｎｅ＃１）へ切り換え、その後、初期設定の光伝送路からの下り光信号の伝送が復帰したとしても、他の光伝送路からの下り光信号の伝送断が検出されるまで、入力経路を初期設定の光伝送路へ切り換えない例を説明する。
【０１１６】
まず、制御回路２１０は、入力経路を、初期設定の光伝送路であるＴ．Ｌｉｎｅ＃０へ切り換える（ステップＳ５０２）。
【０１１７】
その後、制御回路２１０は、Ｔ．Ｌｉｎｅ＃０からの光信号の伝送断が検出されたか否かを判断する（ステップＳ５０４）。
【０１１８】
ステップＳ５０４において、光信号の伝送断が検出されていないと判断した場合（ステップＳ５０４：Ｎｏ）、制御回路２１０は、引き続きステップＳ５０４の判断処理を行う。
【０１１９】
一方、ステップＳ５０４において、光信号の伝送断が検出されたと判断した場合（ステップＳ５０４：Ｙｅｓ）、制御回路２１０は、処理をステップＳ５０６へ進める。
【０１２０】
ステップＳ５０６では、制御回路２１０は、Ｔ．Ｌｉｎｅ＃１からの光信号の伝送断が検出されたか否かを判断する（ステップＳ５０６）。
【０１２１】
ステップＳ５０６において、光信号の伝送断が検出されたと判断した場合、（ステップＳ５０６：Ｙｅｓ）、制御回路２１０は、警告を発し（ステップＳ５０８）、処理をステップＳ５０４へ戻す。
【０１２２】
一方、ステップＳ５０６において、光信号の伝送断が検出されていないと判断した場合（ステップＳ５０６：Ｎｏ）、制御回路２１０は、入力経路をＴ．Ｌｉｎｅ＃１へ切り換える（ステップＳ５１０）。
【０１２３】
その後、制御回路２１０は、Ｔ．Ｌｉｎｅ＃１からの光信号の伝送断が検出されたか否かを判断する（ステップＳ５１２）。
【０１２４】
ステップＳ５１２において、光信号の伝送断が検出されていないと判断した場合（ステップＳ５１２：Ｎｏ）、制御回路２１０は、引き続きステップＳ５１２の判断処理を行う。
【０１２５】
一方、ステップＳ５１２において、光信号の伝送断が検出されたと判断した場合（ステップＳ５１２：Ｙｅｓ）、制御回路２１０は、処理をステップＳ５１４へ進める。
【０１２６】
ステップＳ５１４では、制御回路２１０は、Ｔ．Ｌｉｎｅ＃０からの光信号の伝送断が検出されたか否かを判断する（ステップＳ５１４）。
【０１２７】
ステップＳ５１４において、光信号の伝送断が検出されていないと判断した場合（ステップＳ５１４：Ｎｏ）、制御回路２１０は、入力経路をＴ．Ｌｉｎｅ＃０へ切り換え（ステップＳ５１６）、処理をステップＳ５０４へ戻す。
【０１２８】
一方、ステップＳ５１４において、光信号の伝送断が検出されたと判断した場合（ステップＳ５１４：Ｙｅｓ）、制御回路２１０は、警告を発し（ステップＳ５１８）、処理をステップＳ５１２へ戻す。
【０１２９】
この手順によれば、初期設定の伝送路に何らかの障害が発生し、他の光伝送路に切り換えられた後は、できる限り他の光伝送路を使用し続けることができるので、例えば、できる限り信頼性の高い光伝送路を使用したい場合等に有効である。特に、光伝送路に優劣が無く、どの光伝送路を使用しても機能や性能に大きな差が生じない場合には、信頼性の高い光伝送路を使用し続ければよく、これを不用意に切り変えることは、瞬断等々が発生して回線品質・サービスの低下に繋がる。このような場合には、本手順のように、重み付けの無い運用が好ましい。また、この手順によれば、光スイッチの切り換え回数が抑えられるため、光スイッチの寿命が短くなることを回避することができる。
【０１３０】
なお、本実施形態では、Ｔ．Ｌｉｎｅ＃０を初期設定の光伝送路としているが、当然、Ｔ．Ｌｉｎｅ＃１を初期設定の光伝送路としてもよい。この場合、図４、５、およびその説明において、Ｔ．Ｌｉｎｅ＃１とＴ．Ｌｉｎｅ＃０が入れ換わることとなる。
【０１３１】
（効果）
以上説明したように、本実施形態の光クロージャ１２０は、センタ１１０からの光伝送路が二重化されていることにより、一の光伝送路において何らかの障害が生じ、光信号を受信できなくなった場合であっても、他の光伝送路から光信号を受信することができる。
【０１３２】
これにより、一の光伝送路に何らかの障害が生じた場合であっても、直ぐにこれを検出し、光信号の伝送に使用する光伝送路を他の光伝送路へ切り換えることで、障害発生後も、他の光伝送路から受け取った光信号を、各光ドロップクロージャ１３０に対して送信することができる。
【０１３３】
特に、本実施形態の光クロージャ１２０は、光伝送路からの光信号の伝送が途絶えたことを検出した場合に、光信号の入力経路を切り換える構成を採用しているので、障害の発生場所や内容を問わず、簡単な構成で、迅速かつ確実に障害に対応することができる。
【０１３４】
さらに、本実施形態の光クロージャ１２０は、上記２つの光伝送路から、同一の光信号を並行して受信する構成を採用している。これにより、一方の光伝送路から光信号を受信できなくなった場合でも、他方の光伝送路から、同一の光信号を受信することができる。すなわち、本実施形態の光クロージャ１２０は、各光ドロップクロージャ１３０に対して障害発生前に送信していた伝送データを、障害発生後も継続して送信することができる。
【０１３５】
〔他の実施形態〕
以下、本発明に係る光クロージャ１２０の他の実施形態について説明する。他の実施形態で説明する光クロージャ１２０のうち、以下に説明する点以外の点については、これまでに説明した光クロージャ１２０と同様であるため、説明を省略する。以下、これまでに説明した光クロージャ１２０との相違点について説明する。
【０１３６】
（実施形態２）
まず、図６を参照して、本発明に係る光クロージャ１２０の実施形態２について説明する。図６は、実施形態２に係る光クロージャ１２０の構成を示す図である。
【０１３７】
（クロージャの構成）
図６に示すように、本実施形態の光クロージャ１２０は、光分配器２２０を備えてなく、すなわち、下り光信号を複数の出力先に分配して出力する機能を有していない。このため、光スイッチ２００の出力側（ドロップクロージャ１３０側）のポートには、１つのＢ．Ｌｉｎｅ（Ｂ．Ｌｉｎｅ＃０）のみが接続されている。すなわち、本実施形態の光クロージャ１２０は、下り光信号を一のドロップクロージャ１３０のみに出力する構成となっている。
【０１３８】
本実施形態２の光クロージャ１２０は、上記以外の点については、実施形態１の光クロージャ１２０と同様である。したがって、本実施形態２の光クロージャ１２０は、実施形態１の光クロージャ１２０と同様の効果を奏することができる。このように、本発明に係る光クロージャ１２０は、光分配器の有無や、下り光信号の出力先の数を問わず、様々な形態で実施することができる。
【０１３９】
なお、光伝送システム１０において、図６に示す光クロージャ１２０を用いた場合であっても、その外部（下り光信号の出力側）に光分配器を設置することにより、図３に示す光クロージャ１２０を用いた場合（実施形態１）と同様に、下り光信号を複数の出力先に分配して出力する構成とすることができる。
【０１４０】
（実施形態３）
次に、図７を参照して、本発明に係る光クロージャ１２０の実施形態３について説明する。図７は、実施形態３に係る光クロージャ１２０の構成を示す図である。
【０１４１】
（クロージャの構成）
センタ１１０から光クロージャ１２０へは、Ｔ．Ｌｉｎｅ＃０およびＴ．Ｌｉｎｅ＃１の各々から、各種伝送データ用の光信号とは別に、所定の波長（例えば、１６２０ｎｍ〜１６６０ｎｍ）の光信号である監視用の光信号が伝送されてくる。この監視用の光信号は、少なくとも、各種伝送データ用の光信号とは波長が異なり、比較的短い間隔をもって連続的に送信されてくるものである。この監視用の光信号は、ＣＷ（Continuous Wave）光（すなわち連続光）を用いても良いが、省電力の観点から変調光を用いるのが望ましい。
【０１４２】
これに応じて、本実施形態の光クロージャ１２０は、図７に示すように、監視用の光信号を透過する光波長フィルタ２６２，２６４，２６６をさらに備えている。
【０１４３】
光波長フィルタ２６２は、光カップラ２４２から供給された光信号から、所定の波長を有する監視用の光信号を透過して出力する。光波長フィルタ２６２から出力された監視用の光信号は、検出回路２５２へ出力される。検出回路２５２は、光波長フィルタ２６２からの監視用の光信号の供給に基づいて、Ｔ．Ｌｉｎｅ＃０からの監視用の光信号の伝送断を検出する。例えば、検出回路２５２は、予め定められた時間以上、光波長フィルタ２６２から監視用の光信号が供給されてこなかった場合、これを監視用の光信号の伝送断として検出する。検出回路２５２は、当該伝送断を検出すると、その旨を制御回路２１０へ通知する。
【０１４４】
この下り光信号の供給断の通知により、例えば、制御回路２１０は、Ｔ．Ｌｉｎｅ＃０において、またはＴ．Ｌｉｎｅ＃０への光信号の送信系統において、何らかの障害が発生したことを検知することができる。
【０１４５】
光波長フィルタ２６４は、光カップラ２４４から供給された光信号から、監視用の光信号を透過して出力する。光波長フィルタ２６４から出力された監視用の光信号は、検出回路２５４へ出力される。検出回路２５４は、光波長フィルタ２６４からの監視用の光信号の供給に基づいて、Ｔ．Ｌｉｎｅ＃１からの監視用の光信号の伝送断を検出する。例えば、検出回路２５４は、予め定められた時間以上、光波長フィルタ２６４から監視用の光信号が供給されてこなかった場合、これをＴ．Ｌｉｎｅ＃１からの監視用の光信号の伝送断として検出する。検出回路２５４は、当該伝送断を検出すると、その旨を制御回路２１０へ通知する。
【０１４６】
この通知により、例えば、制御回路２１０は、Ｔ．Ｌｉｎｅ＃１において、またはＴ．Ｌｉｎｅ＃１への光信号の送信系統において、何らかの障害が発生したことを検知することができる。
【０１４７】
光波長フィルタ２６６は、光カップラ２４６から供給された光信号から、監視用の光信号を透過して出力する。光波長フィルタ２６６から出力された監視用の光信号は、検出回路２５６へ出力される。検出回路２５６は、光波長フィルタ２６６からの監視用の光信号の供給に基づいて、光スイッチ２００からの監視用の光信号の伝送断を検出する。例えば、検出回路２５６は、予め定められた時間以上、光波長フィルタ２６６から監視用の光信号が供給されてこなかった場合、これを光スイッチ２００からの監視用の光信号の伝送断として検出する。検出回路２５６は、当該伝送断を検出すると、その旨を制御回路２１０へ通知する。
【０１４８】
この通知により、例えば、制御回路２１０は、光スイッチ２００において何らかの障害が発生したことを検知することができる。
【０１４９】
以上のとおり、本実施形態３の光クロージャ１２０によれば、連続的に伝送される監視用の光信号の伝送断を検出することによって、各光伝送路および光スイッチ２００において何らかの障害が発生したことを検出することができる。
【０１５０】
このため、ある程度の間隔をおいて大量のデータをまとめて伝送するバースト回線（例えば、ＧＥ−ＰＯＮ）等、そもそも伝送データ用の光信号が連続的に伝送されないような場合であっても、各光伝送路および光スイッチ２００において何らかの障害が発生したことを検出することができる。
【０１５１】
（実施形態４）
次に、図８を参照して、本発明に係る光クロージャ１２０の実施形態４について説明する。特に、この実施形態４では、上り信号および下り信号の双方を検出する構成の変形例を説明する。図８は、実施形態４に係る光クロージャ１２０の構成を示す図である。
【０１５２】
（Ｔ．Ｌｉｎｅ＃０の光信号の伝送断を検出するための構成）
本実施形態４の光クロージャ１２０は、Ｔ．Ｌｉｎｅ＃０の光信号の伝送断を検出するための構成として、光カップラ８０２、検出回路８０４、および検出回路８０６を備えている。
【０１５３】
光カップラ８０２（光カップラ＃０）は、Ｔ．Ｌｉｎｅ＃０への上り信号を分岐して検出回路８０４（検出回路＃０ａ）へ出力する機能と、Ｔ．Ｌｉｎｅ＃０からの下り信号を分岐して検出回路８０６（検出回路＃０ｂ）へ出力する機能とをそれぞれ有する。
【０１５４】
検出回路８０４は、光カップラ８０２からの光信号の供給に基づいて、Ｔ．Ｌｉｎｅ＃０への上り光信号の伝送断を検出する。
【０１５５】
検出回路８０６は、光カップラ８０２からの光信号の供給に基づいて、Ｔ．Ｌｉｎｅ＃０からの下り光信号の伝送断を検出する。
【０１５６】
例えば、検出回路８０４，８０６は、予め定められた時間以上、光カップラ８０２から光信号が供給されてこなかった場合、これを光信号の伝送断として検出する。
【０１５７】
（Ｔ．Ｌｉｎｅ＃１の光信号の伝送断を検出するための構成）
また、本実施形態４の光クロージャ１２０は、Ｔ．Ｌｉｎｅ＃１の光信号の伝送断を検出するための構成として、光カップラ８１２、検出回路８１４、および検出回路８１６を備えている。
【０１５８】
光カップラ８１２（光カップラ＃１）は、Ｔ．Ｌｉｎｅ＃１への上り信号を分岐して検出回路８１４（検出回路＃１ａ）へ出力する機能と、Ｔ．Ｌｉｎｅ＃１からの下り信号を分岐して検出回路８１６（検出回路＃１ｂ）へ出力する機能とをそれぞれ有する。
【０１５９】
検出回路８１４は、光カップラ８１２からの光信号の供給に基づいて、Ｔ．Ｌｉｎｅ＃１への上り光信号の伝送断を検出する。
【０１６０】
検出回路８１６は、光カップラ８１２からの光信号の供給に基づいて、Ｔ．Ｌｉｎｅ＃１からの下り光信号の伝送断を検出する。
【０１６１】
例えば、検出回路８１４，８１６は、予め定められた時間以上、光カップラ８１２から光信号が供給されてこなかった場合、これを光信号の伝送断として検出する。
【０１６２】
このように、本実施形態４の光クロージャ１２０は、上り光信号および下り光信号の各々を分岐することが可能な光カップラ８０２，８１２を採用した。これにより、光スイッチにおいて何らかの障害が生じたことの検出を可能としつつ、光カップラの設置数を削減することができるので、光カップラの挿入損失およびシステム全体の製造コストを軽減することができる。
【０１６３】
（実施形態５）
次に、図９を参照して、本発明に係る光クロージャ１２０の実施形態５について説明する。特に、この実施形態５では、外部からの光を利用して電力を生成する構成の変形例を説明する。図９は、実施形態５に係る光クロージャ１２０の構成を示す図である。
【０１６４】
本実施形態５の光クロージャ１２０は、電源生成回路９００を備えている。電源生成回路９００は、電力生成用の光を伝送するための光伝送路であるＰ．Ｌｉｎｅによってセンタ１１０と接続されている。このＰ．Ｌｉｎｅには、例えば、通信に使用する光ファイバと共に光ケーブル内に配線された、通信に使用しない光ファイバ（いわゆるダークファイバ）が用いられる。センタ１１０は、Ｐ．Ｌｉｎｅを介して、電源生成回路９００へ電力生成用の光を伝送する。
【０１６５】
例えば、センタ１１０は、光増幅器に使用される励起光源から照射された光（０．９８μｍ等）や、ＹＡＧレーザ（１．０６μｍ）から照射された光等を、電力生成用の光として電源生成回路９００へ伝送する。この電力生成用の光は、各種の変調光を用いても良いが、効率良く電力を供給するためにはＣＷ光を用いることが望ましい。
【０１６６】
電源生成回路９００は、Ｐ．Ｌｉｎｅから伝送されてきた電力生成用の光を受け、この電力生成用の光を利用して光電変換を行うことにより発電し、光クロージャ１２０が動作するための所定の電圧を出力する。
【０１６７】
例えば、電源生成回路９００は、フォトダイオードにより、Ｐ．Ｌｉｎｅから伝送されてきた電力生成用の光を受け、ある程度の電圧（例えば、０．６Ｖ）の電力を生成する。そして、フォトダイオードによって生成された電力の電圧を、昇圧型のＤＣ／ＤＣコンバータにより所定の電圧（例えば、３．３Ｖ）へ昇圧する。これにより、電源生成回路９００は、光クロージャ１２０が動作するための所定の電圧を得ることができる。そして、光クロージャ１２０（特に制御回路２００）は、電源生成回路９００によって生成された電力によって動作することができる。
【０１６８】
電源生成回路９００によって生成された電力は、蓄電池２３４に蓄えておくこともできる。これにより、光クロージャ１２０は、電源生成回路９００による発電量が十分な場合には、電源生成回路９００によって生成された電力によって動作するとともに、蓄電池２３４を充電し、電源生成回路９００による発電量が不十分な場合には、蓄電池２３４に蓄えられている電力によって動作することができる。
【０１６９】
本実施形態５の構成によれば、電源供給用の電力線を設ける必要がないため、光伝送システム１０の構成を簡素化することができる。
【０１７０】
また、伝送距離が長い場合、電力を光に変換して光ファイバによって伝送する方が、電力をそのまま電力線によって伝送するよりもエネルギー損失が小さくて済む。このような場合、本実施形態５の構成によれば、エネルギー損失をより低減することができる。
【０１７１】
なお、本実施形態５では、センタ１１０から電力生成用の光を伝送することとしたが、これ以外の装置から電力生成用の光を伝送するようにしてもよい。また、電力生成用の光の光伝送路（Ｐ．Ｌｉｎｅ）を複数設け、この複数の光伝送路の各々から、電力生成用の光を電源生成回路９００へ伝送する構成としてもよい。
【０１７２】
（実施形態６）
次に、図１０を参照して、本発明に係る光クロージャ１２０の実施形態６について説明する。特に、この実施形態６では、外部からの光を利用して電力を生成する構成のさらなる変形例を説明する。図１０は、実施形態６に係る光クロージャ１２０の構成を示す図である。
【０１７３】
本実施形態６では、センタ１１０は、Ｔ．Ｌｉｎｅ＃０を介して、電源生成回路１０１２へ電力生成用の光を伝送する。また、センタ１１０は、Ｔ．Ｌｉｎｅ＃１を介して、電源生成回路１０１４へ電力生成用の光を伝送する。
【０１７４】
例えば、センタ１１０は、光増幅器に使用される励起光源から照射された光（０．９８μｍ等）や、ＹＡＧレーザ（１．０６μｍ）から照射された光等を、電力生成用の光として電源生成回路１０１２，１０１４へ伝送する。この電力生成用の光は、各種の変調光を用いても良いが、効率良く電力を供給するためにはＣＷ光を用いることが望ましい。
【０１７５】
電源生成回路１０１２，１０１４は、Ｔ．Ｌｉｎｅ＃０，＃１から伝送されてきた電力生成用の光を受け、この電力生成用の光を利用して光電変換を行うことにより発電し、光クロージャ１２０が動作するための所定の電圧を出力する。
【０１７６】
具体的には、本実施形態６の光クロージャ１２０は、光カップラ１００２、電源生成回路１０１２、光カップラ１００４、および電源生成回路１０１４を備えている。
【０１７７】
光カップラ１００２（光カップラ＃０ａ）は、Ｔ．Ｌｉｎｅ＃０の経路上に設けられている。光カップラ１００２は、Ｔ．Ｌｉｎｅ＃０から伝送されてきた下り光信号を、電源生成回路１０１２（電源生成回路＃０）へ分配する。電源生成回路１０１２は、光カップラ１００２から供給された下り光信号を受け、この光を利用して光電変換を行うことにより発電し、光クロージャ１２０が動作するための所定の電圧を出力する。
【０１７８】
光カップラ１００４（光カップラ＃１ａ）は、Ｔ．Ｌｉｎｅ＃１の経路上に設けられている。光カップラ１００４は、Ｔ．Ｌｉｎｅ＃１から伝送されてきた下り光信号を、電源生成回路１０１４（電源生成回路＃１）へ分配する。電源生成回路１０１４は、光カップラ１００４から供給された下り光信号を受け、この光を利用して光電変換を行うことにより発電し、光クロージャ１２０が動作するための所定の電圧を出力する。
【０１７９】
電源生成回路１０１２，１０１４が所定の電圧を出力するための仕組みは、電源生成回路９００と同様である。光クロージャ１２０（特に制御回路２００）は、電源生成回路１０１２，１０１４によって生成された電力によって動作することができる。
【０１８０】
電源生成回路１０１２，１０１４によって生成された電力は、蓄電池２３４に蓄えておくこともできる。これにより、光クロージャ１２０は、電源生成回路１０１２，１０１４による発電量が十分な場合には、電源生成回路１０１２，１０１４によって生成された電力によって動作するとともに、蓄電池２３４を充電し、電源生成回路１０１２，１０１４による発電量が不十分な場合には、蓄電池２３４に蓄えられている電力によって動作することができる。
【０１８１】
本実施形態６の構成によれば、電源供給用の電力線を設ける必要がなく、また、電力生成用の光を伝送するための光伝送路（Ｐ．Ｌｉｎｅ）を設ける必要もないため、光伝送システム１０の構成をより簡素化することができる。
【０１８２】
また、光スイッチによって選択されていないほうの光伝送路から送信されてきた光信号についても、破棄されずに電力の生成に用いられるため、光エネルギーを有効に利用することができる。
【０１８３】
なお、電源生成回路１０１２，１０１４は、電力生成用の光信号だけでなく、伝送データ用の光信号からも電力を生成することができる。
【０１８４】
このため、伝送データ用の光信号から生成された電力が、光クロージャ１２０が動作するために十分なものであれば、センタ１１０は、電力生成用の光信号を送信しなくてもよい。
【０１８５】
また、本実施形態６の構成を変形して、光スイッチによって選択されていないほうの光伝送路から送信されてきた光信号のみを利用して、電力を生成する構成としてもよい。これにより、光スイッチによって選択されているほうの光伝送路から送信されてきた伝送データを損失させることなく伝送するとともに、これと並行して、電力を生成することができる。
【０１８６】
〔変形例〕
各実施形態では、伝送断検出用の光信号および電力生成用の光信号を抽出する抽出手段の一例として、光カップラおよび光波長フィルタを用いる例を説明した。上記抽出手段としては、光カップラおよび光波長フィルタに限らず、少なくとも伝送断検出用の光信号または電力生成用の光信号を抽出することができるものであれば、他の構成を用いてもよい。例えば、上記抽出手段として、ＷＤＭ（Wavelength Division Multiplexing：波長分割多重）フィルタ（ロングパスフィルタ、ショートパスフィルタ、またはバンドパスフィルタ）を用いることもできる。ＷＤＭフィルタとは、共通ポートから入射された光信号のうち、ある波長帯域の光信号を透過して透過ポートから出力する一方、他の波長帯域の光信号を反射して反射ポートから出力することができるものである。この特性を利用し、伝送データ用の光信号を透過して透過ポートから出力する一方、伝送断検出用の光信号または電力生成用の光信号を反射して反射ポートから出力するようにＷＤＭフィルタを設計することにより、そのＷＤＭフィルタを上記抽出手段として機能させることができる。以下、実施形態３および６の変形例として、上記抽出手段としてＷＤＭフィルタを用いる例を説明する。
【０１８７】
（変形例１：実施形態３の変形例）
まず、図１１を参照して、実施形態３の光クロージャ１２０（図７）の変形例について説明する。図１１は、実施形態３に係る光クロージャ１２０の変形例を示す図である。
【０１８８】
図１１に示す光クロージャ１２０は、上記抽出手段として、光カップラ２４２および光波長フィルタ２６２の変わりにＷＤＭフィルタ１１０２が用いられている点、および光カップラ２４４および光波長フィルタ２６４の変わりにＷＤＭフィルタ１１０４が用いられている点で、図７に示す光クロージャ１２０と異なる。また、図１１に示す光クロージャ１２０は、後述するように、図７に示す光カップラ２４６、光波長フィルタ２６６、検出回路２５６が省略されている。
【０１８９】
特に、図１１に示すＷＤＭフィルタ１１０２，１１０４は、伝送データ用の光信号の波長（下り：１４８０ｎｍ〜１５８０ｎｍ，上り：１２６０ｎｍ〜１３６０ｎｍ）および伝送断検出用の光信号の波長（１６２０ｎｍ〜１６６０ｎｍ）に応じて、１．６μｍ（１６００ｎｍ）よりも波長が短い光信号を透過して透過ポートから出力する一方、１．６μｍ（１６００ｎｍ）よりも波長が長い光信号を反射して反射ポートから出力する、ショートパスフィルタとして機能するように設計されている。
【０１９０】
すなわち、ＷＤＭフィルタ１１０２，１１０４は、伝送データ用の光信号と電力生成用の光信号とが互いに異なるポートから出力されるように、透過と反射とを分ける閾値が、伝送データ用の光信号の波長と、伝送断検出用の光信号の波長との中間に設定されている。
【０１９１】
これにより、図１１に示すＷＤＭフィルタ１１０２，１１０４は、伝送データ用の光信号（下り：１４８０ｎｍ〜１５８０ｎｍ，上り：１２６０ｎｍ〜１３６０ｎｍ）を透過して透過ポートから出力する一方、伝送断検出用の光信号（１６２０ｎｍ〜１６６０ｎｍ）を反射して反射ポートから出力することが可能となっている。
【０１９２】
この変形例によれば、上記抽出手段としてＷＤＭフィルタを用いたことにより、伝送データ用の光信号の挿入損失を抑えつつ、伝送断検出用の光信号の挿入損失を抑えることができる。なお、伝送断検出用の光信号はＷＤＭフィルタ１１０２，１１０４によりすべて反射ポートから出力されてしまうため、変形例１では、図７に示す光カップラ２４６、光波長フィルタ２６６、検出回路２５６を省略している。
【０１９３】
（変形例２：実施形態６の変形例）
次に、図１２を参照して、実施形態６の光クロージャ１２０（図１０）の変形例について説明する。図１２は、実施形態６に係る光クロージャ１２０の変形例を示す図である。
【０１９４】
図１２に示す光クロージャ１２０は、上記抽出手段として、光カップラ１００２の変わりにＷＤＭフィルタ１２０２が用いられている点、および光カップラ１００４の変わりにＷＤＭフィルタ１２０４が用いられている点で、図１０に示す光クロージャ１２０と異なる。
【０１９５】
特に、図１２に示すＷＤＭフィルタ１２０２，１２０４は、伝送データ用の光信号の波長（下り：１４８０ｎｍ〜１５８０ｎｍ，上り：１２６０ｎｍ〜１３６０ｎｍ）および電力生成用の光信号の波長（０．９８μｍ，１．０６μｍ）に応じて、１．２μｍ（１２００ｎｍ）よりも波長が長い光信号を透過して透過ポートから出力する一方、１．２μｍ（１２００ｎｍ）よりも波長が短い光信号を反射して反射ポートから出力する、ロングパスフィルタとして機能するように設計されている。
【０１９６】
すなわち、ＷＤＭフィルタ１２０２，１２０４は、伝送データ用の光信号と電力生成用の光信号とが互いに異なるポートから出力されるように、透過と反射とを分ける閾値が、伝送データ用の光信号の波長と、電力生成用の光信号の波長との中間に設定されている。
【０１９７】
これにより、図１２に示すＷＤＭフィルタ１２０２，１２０４は、伝送データ用の光信号（下り：１４８０ｎｍ〜１５８０ｎｍ，上り：１２６０ｎｍ〜１３６０ｎｍ）を透過して透過ポートから出力する一方、電力生成用の光信号（０．９８μｍ，１．０６μｍ）を反射して反射ポートから出力することが可能となっている。
【０１９８】
この変形例によれば、上記抽出手段としてＷＤＭフィルタを用いたことにより、伝送データ用の光信号の挿入損失を抑えつつ、電力生成用の光信号の挿入損失を抑えることができる。
【０１９９】
（補足説明）
以上、本発明に係る実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２００】
例えば、光クロージャ１２０が動作するためのより十分な電力を得るため、太陽光を利用して電力を生成する構成（実施形態１〜４のいずれか）と、センタ１１０から送信されてきた電力生成用の光または伝送データ用の光信号を利用して電力を生成する構成（実施形態５または６）とを、組み合わせて実施してもよい。
【産業上の利用可能性】
【０２０１】
本発明に係る光伝送システムは、アクセスネットワーク、特に、インターネット回線やＣＡＴＶシステム等、サービスの提供が途絶えることが許されないシステムのアクセスネットワークとして好適に利用することができる。
【符号の説明】
【０２０２】
１０      光伝送システム
１１０    センタ
１２０    光クロージャ（光中継装置）
１３０    光ドロップクロージャ
２００    光スイッチ
２１０    制御回路
２２０    光分配器
２３２    太陽光発電パネル（光電変換手段）
２３４    蓄電池
２４２    光カップラ
２４４    光カップラ
２４６    光カップラ
２５２    検出回路（検出手段）
２５４    検出回路（検出手段）
２５６    検出回路
９００    電源生成回路（光電変換手段）
【図１】
2013074319.tif 000003
【図２】
2013074319.tif 000004
【図３】
2013074319.tif 000005
【図４】
2013074319.tif 000006
【図５】
2013074319.tif 000007
【図６】
2013074319.tif 000008
【図７】
2013074319.tif 000009
【図８】
2013074319.tif 000010
【図９】
2013074319.tif 000011
【図１０】
2013074319.tif 000012
【図１１】
2013074319.tif 000013
【図１２】
2013074319.tif 000014